【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
記録材にトナー像を形成する画像形成装置であって、
回転可能である像担持体と、前記像担持体と接触して当接部を形成し、前記当接部にて前記像担持体を帯電する帯電部材と、前記帯電部材によって帯電された前記像担持体に露光し、静電潜像を形成する第１の露光手段と、前記静電潜像にトナーを供給して前記像担持体上に前記トナー像を現像する現像部材と、を有する画像形成部と、
前記帯電部材に電圧を印加する電圧印加手段と、
前記像担持体と接触して転写部を形成し、前記転写部にて前記像担持体上に形成された前記トナー像を担持する中間転写体と、
前記中間転写体に担持された前記トナー像を記録材に転写する転写部材と、
前記像担持体の回転方向において前記転写部よりも下流側で且つ前記当接部よりも上流側の前記像担持体を露光する第２の露光手段と、
前記電圧印加手段と前記第２の露光手段と、を制御する制御部と、
を有する画像形成装置において、
前記像担持体を回転させて画像形成を行う第１の画像形成モードと、前記第１の画像形成モードより大きい回転速度で前記像担持体を回転させて画像形成を行う第２の画像形成モードを実行可能であり、
前記制御部は、前記電圧印加手段に印加する前記電圧の絶対値と、前記第２の露光手段により露光した前記像担持体の表面電位の絶対値と、の差が、前記第１の画像形成モード実行時より前記第２の画像形成モード実行時の方が大きくなるように、前記電圧印加手段と前記第２の露光手段と、を制御することを特徴とする画像形成装置。
【請求項２】
前記制御部は、前記第２の露光手段により前記像担持体を露光する露光量が前記第１の画像形成モード実行時より前記第２の画像形成モード実行時の方が大きくなるように制御することを特徴とする請求項１に記載の画像形成装置。
【請求項３】
前記制御部は、前記第２の露光手段による露光を前記第１の画像形成モード実行時には実行せず、前記第２の画像形成モード実行時に実行するように制御することを特徴とする請求項１又は２に記載の画像形成装置。
【請求項４】
前記第１の露光手段は、前記帯電部材によって帯電された前記像担持体に、前記トナー像を形成しない前記表面電位を形成するために露光する非画像部露光と、前記トナー像を形成する前記表面電位を形成するために前記非画像部露光の露光量よりも大きい露光量で露光する画像部露光と、を行い、
前記制御部は、画像形成時において、前記トナー像を形成しない前記像担持体の前記表面電位が一定になるように前記非画像部露光の前記露光量を制御するために前記第１の露光手段を制御することを特徴とする請求項１乃至３のいずれか一項に記載の画像形成装置。
【請求項５】
前記制御部は、前記中間転写体の回転方向において、最上流に配置される前記画像形成部の前記電圧印加手段に印加する前記電圧の絶対値と、最上流に配置される前記画像形成部の前記第２の露光手段により露光した前記像担持体の前記表面電位の絶対値と、の差を、前記第１の画像形成モードと前記第２の画像形成モードとで同じとする制御を実行することを特徴とする請求項１乃至４のいずれか一項に記載の画像形成装置。
【請求項６】
記録材にトナー像を形成する画像形成装置であって、
回転可能である像担持体と、前記像担持体と接触して当接部を形成し、前記当接部にて前記像担持体を帯電する帯電部材と、前記帯電部材によって帯電された前記像担持体に露光し、静電潜像を形成する露光手段と、前記静電潜像にトナーを供給して前記像担持体上に前記トナー像を現像する現像部材と、を有する画像形成部と、
前記帯電部材に電圧を印加する電圧印加手段と、
前記像担持体と接触して転写部を形成し、前記転写部にて前記像担持体上に形成された前記トナー像を担持する中間転写体と、
前記中間転写体に担持された前記トナー像を記録材に転写する転写部材と、
前記電圧印加手段を制御する制御部と、
を有する画像形成装置において、
前記像担持体を回転させて画像形成を行う第１の画像形成モードと、前記第１の画像形成モードより大きい回転速度で前記像担持体を回転させて画像形成を行う第２の画像形成モードを実行可能であり、
前記制御部は、前記電圧印加手段に印加する前記電圧の絶対値と、前記転写部を通過した後の前記当接部に突入する前記像担持体の表面電位の絶対値と、の差が、前記第１の画像形成モード実行時より前記第２の画像形成モード実行時の方が大きくなるように、前記電圧印加手段を制御することを特徴とする画像形成装置。
【請求項７】
前記中間転写体の外周面、もしくは内周面に接触する接触部材から前記中間転写体を介して前記像担持体に電流を供給することで、前記中間転写体に前記トナー像を転写することを特徴とする請求項６に記載の画像形成装置。
【請求項８】
前記中間転写体に１００（Ｖ）印加した際の前記中間転写体の外周面、もしくは内周面の表面抵抗率が２×１０１０（Ω／□）以下であることを特徴とする請求項７に記載の画像形成装置。
【請求項９】
前記露光手段は、前記帯電部材によって帯電された前記像担持体に、前記トナー像を形成しない前記表面電位を形成するために露光する非画像部露光と、前記トナー像を形成する前記表面電位を形成するために前記非画像部露光の露光量よりも大きい露光量で露光する画像部露光と、を行い、
前記制御部は、画像形成時において、前記トナー像を形成しない前記像担持体の前記表面電位が一定になるように前記非画像部露光の前記露光量を制御するために前記露光手段を制御することを特徴とする請求項６乃至８のいずれか一項に記載の画像形成装置。
【請求項１０】
前記制御部は、前記中間転写体の回転方向において、最上流に配置される前記画像形成部の前記電圧印加手段に印加する前記電圧の絶対値と、前記転写部を通過した後の前記当接部に突入する前記像担持体の前記表面電位の絶対値と、の差を、前記第１の画像形成モードと前記第２の画像形成モードとで同じとする制御を実行することを特徴とする請求項６乃至９のいずれか一項に記載の画像形成装置。
【請求項１１】
記録材にトナー像を形成する画像形成装置であって、
回転可能である像担持体と、
前記像担持体と接触して当接部を形成し、前記当接部にて前記像担持体を帯電する帯電部材と、
前記帯電部材によって帯電された前記像担持体に露光し、静電潜像を形成する第１の露光手段と、
前記静電潜像にトナーを供給して前記像担持体上に前記トナー像を現像する現像部材と、
前記帯電部材に電圧を印加する電圧印加手段と、
前記像担持体上に現像された前記トナー像を転写部にて記録材に転写する転写部材と、
前記像担持体の回転方向において前記転写部よりも下流側で且つ前記当接部よりも上流側の前記像担持体を露光する第２の露光手段と、
前記電圧印加手段と前記第２の露光手段と、を制御する制御部と、
を有する画像形成装置において、
前記像担持体を回転させて画像形成を行う第１の画像形成モードと、前記第１の画像形成モードより大きい回転速度で前記像担持体を回転させて画像形成を行う第２の画像形成モードを実行可能であり、
前記制御部は、前記電圧印加手段に印加する前記電圧の絶対値と、前記第２の露光手段により露光した前記像担持体の表面電位の絶対値と、の差が、前記第１の画像形成モード実行時より前記第２の画像形成モード実行時の方が大きくなるように、前記電圧印加手段と前記第２の露光手段と、を制御することを特徴とする画像形成装置。
【請求項１２】
前記制御部は、前記第２の露光手段により前記像担持体を露光する露光量が前記第１の画像形成モード実行時より前記第２の画像形成モード実行時の方が大きくなるように制御することを特徴とする請求項１１に記載の画像形成装置。
【請求項１３】
前記制御部は、前記第２の露光手段による露光を前記第１の画像形成モード実行時には実行せず、前記第２の画像形成モード実行時に実行するように制御することを特徴とする請求項１１又は１２に記載の画像形成装置。
【請求項１４】
前記第１の露光手段は、前記帯電部材によって帯電された前記像担持体に、前記トナー像を形成しない前記表面電位を形成するために露光する非画像部露光と、前記トナー像を形成する前記表面電位を形成するために前記非画像部露光の露光量よりも大きい露光量で露光する画像部露光と、を行い、
前記制御部は、画像形成時において、前記トナー像を形成しない前記像担持体の前記表面電位が一定になるように前記非画像部露光の前記露光量を制御するために前記第１の露光手段を制御することを特徴とする請求項１１乃至１３のいずれか一項に記載の画像形成装置。
【請求項１５】
記録材にトナー像を形成する画像形成装置であって、
回転可能である像担持体と、
前記像担持体と接触して当接部を形成し、前記当接部にて前記像担持体を帯電する帯電部材と、
前記帯電部材によって帯電された前記像担持体に露光する露光手段と、
前記露光手段によって露光された前記像担持体にトナーを供給して前記像担持体上に前記トナー像を現像する現像部材と、
前記帯電部材に電圧を印加する電圧印加手段と、
前記像担持体上に現像された前記トナー像を転写部にて記録材に転写する転写部材と、
前記電圧印加手段を制御する制御部と、
を有する画像形成装置において、
前記像担持体を回転させて画像形成を行う第１の画像形成モードと、前記第１の画像形成モードより大きい回転速度で前記像担持体を回転させて画像形成を行う第２の画像形成モードを実行可能であり、
前記制御部は、前記電圧印加手段に印加する前記電圧の絶対値と、前記転写部を通過した後の前記当接部に突入する前記像担持体の表面電位の絶対値と、の差が、前記第１の画像形成モード実行時より前記第２の画像形成モード実行時の方が大きくなるように、前記電圧印加手段を制御することを特徴とする画像形成装置。
【請求項１６】
前記露光手段は、前記帯電部材によって帯電された前記像担持体に、前記トナー像を形成しない前記表面電位を形成するために露光する非画像部露光と、前記トナー像を形成する前記表面電位を形成するために前記非画像部露光の露光量よりも大きい露光量で露光する画像部露光と、を行い、
前記制御部は、画像形成時において、前記トナー像を形成しない前記像担持体の前記表面電位が一定になるように前記非画像部露光の前記露光量を制御するために前記露光手段を制御することを特徴とする請求項１５に記載の画像形成装置。
【請求項１７】
前記制御部は、前記電圧印加手段によって前記帯電部材に印加する前記電圧を前記第１の画像形成モード実行時より前記第２の画像形成モード実行時の方が絶対値で大きくなるように制御することを特徴とする請求項１乃至１６のいずれか一項に記載の画像形成装置。
【請求項１８】
前記第１の画像形成モード、前記第２の画像形成モードのいずれかを実行する場合に、画像形成に使用されずに前記像担持体上に残った残トナーを前記現像部材で回収することを特徴とする請求項１乃至１７のいずれか一項に記載の画像形成装置。
【請求項１９】
前記トナーは一成分現像剤であることを特徴とする請求項１乃至１８のいずれか一項に記載の画像形成装置。